(57)【特許請求の範囲】
【請求項１】
下面に吸込口を有する吸込具本体と、前記吸込口に臨ませて前記吸込具本体内に収納される回転ブラシとを備え、
前記吸込具本体の前壁を弾性体で形成し、前記回転ブラシを、前記弾性体に当接させて振動させる位置に配置すると共に、前記吸込具本体底部の前部両側に起毛布を設けたことを特徴とする電気掃除機用床用吸込具。
【請求項２】
下面に吸込具を有する吸込具本体と、前記吸込口に臨ませて前記吸込具本体内に収納される回転ブラシとを備え、
前記吸込具本体の前壁を、被掃除面に向かって形成された弾性を有するひれ部を有するバンパーにて形成し、前記回転ブラシを、前記ひれ部に当接させて振動させる位置に配置すると共に、前記ひれ部の付け根部分を内側より支持する支持部材を形成したことを特徴とする電気掃除機用床用吸込具。
【請求項３】
下面に吸込口を有する吸込具本体と、前記吸込口に臨ませて前記吸込具本体内に収納される回転ブラシとを備え、
前記吸込具本体の前壁を弾性体で形成し、前記回転ブラシを、前記弾性体に当接させて振動させる位置に配置すると共に、前記弾性体に、横方向に伸びる薄肉部を設けたことを特徴とする電気掃除機用床用吸込具。
【請求項４】
下面に吸込口を有する吸込具本体と、前記吸込口に臨ませて前記吸込具本体内に収納される回転ブラシとを備え、
前記吸込具本体の前壁を弾性体で形成し、前記回転ブラシを、掃除時にのみ吸引力により倒れ込む前記弾性体に当接させて振動させる位置に配置すると共に、前記吸込具本体底部の前部両側に起毛布を設けたことを特徴とする電気掃除機用床用吸込具。
【請求項５】
下面に吸込具を有する吸込具本体と、前記吸込口に臨ませて前記吸込具本体内に収納される回転ブラシとを備え、
前記吸込具本体の前壁を、被掃除面に向かって形成された弾性を有するひれ部を有するバンパーにて形成し、前記回転ブラシを、掃除時にのみ吸引力により倒れ込む前記ひれ部に当接させて振動させる位置に配置すると共に、前記ひれ部の付け根部分を内側より支持する支持部材を形成したことを特徴とする電気掃除機用床用吸込具。
【請求項６】
下面に吸込口を有する吸込具本体と、前記吸込口に臨ませて前記吸込具本体内に収納される回転ブラシとを備え、
前記吸込具本体の前壁を弾性体で形成し、前記回転ブラシを、掃除時にのみ吸引力により倒れ込む前記弾性体に当接させて振動させる位置に配置すると共に、前記弾性体に、横方向に伸びる薄肉部を設けたことを特徴とする電気掃除機用床用吸込具。
【発明の詳細な説明】
【０００１】
【発明の属する技術分野】
本願発明は、電気掃除機用の床用吸込具に係わり、特に回転ブラシを備えた床用吸込具における壁際掃除の性能向上に関するものである。
【０００２】
【従来の技術】
電気掃除機用の床用吸込具は、内部に電動送風機や集塵室を有する掃除機本体にホースや延長管を介して着脱自在に接続される。
【０００３】
従来の一般的な回転ブラシ付き床用吸込具には、例えば実公平２−１０９７１号公報（Ａ４７Ｌ  ９／０４）に示されているように、吸込具本体の前部両側に前車輪が設けられている。また、吸込具本体内に収納された回転ブラシが臨む吸込口の前縁から吸込具本体の前壁にかけては１０〜１５ｍｍの橇形状を成し、この部分が絨毯等の吸い付き時の滑り効果を上げたり、吸込具本体ケースそのものの強度を向上させる役割を果たしている。さらに、吸込具本体の前壁の外周には、室内の壁面や家具などの傷付き等を防止するためのバンパーが取り付けられている。
【０００４】
【発明が解決しようとする課題】
しかしながら、上記のような床用吸込具では、壁際の掃除を考えた場合、壁面から上述した前壁の橇形状部分までの間のごみは吸い込むことができなかった。すなわち、壁面と回転ブラシとの間に上述したような前壁の橇形状部分や前車輪やバンパー等が介在するため、回転ブラシが壁際近くまで届かず、絨毯などに絡み付いた糸くず等のごみの吸い残しが発生するという課題があった。なお、床用吸込具の前面側を開放すれば回転ブラシを壁際に最も近づけることができるが、それでは吸引力が著しく低下して床用吸込具本来の性能が損なわれる。
【０００５】
そこで、本願発明はこのような課題を解決するためになされたものであり、床用吸込具本来の性能を損なうことなく、壁際掃除の性能向上が図れる床用吸込具を提供することを目的とするものである。
【０００６】
【課題を解決するための手段】
上記のような目的を達成するために、本願発明は、下面に吸込口を有する吸込具本体と、前記吸込口に臨ませて前記吸込具本体内に収納される回転ブラシとを備え、前記吸込具本体の前壁を弾性体で形成し、前記回転ブラシを、前記弾性体に当接させて振動させる位置に配置すると共に、前記吸込具本体底部の前部両側に起毛布を設けたことを特徴とするものである。
【０００７】
また、下面に吸込具を有する吸込具本体と、前記吸込口に臨ませて前記吸込具本体内に収納される回転ブラシとを備え、前記吸込具本体の前壁を、被掃除面に向かって形成された弾性を有するひれ部を有するバンパーにて形成し、前記回転ブラシを、前記ひれ部に当接させて振動させる位置に配置すると共に、前記ひれ部の付け根部分を内側より支持する支持部材を形成したことを特徴とするものである。
【０００８】
さらに、下面に吸込口を有する吸込具本体と、前記吸込口に臨ませて前記吸込具本体内に収納される回転ブラシとを備え、前記吸込具本体の前壁を弾性体で形成し、前記回転ブラシを、前記弾性体に当接させて振動させる位置に配置すると共に、前記弾性体に、横方向に伸びる薄肉部を設けたことを特徴とするものである。
【０００９】
また、下面に吸込口を有する吸込具本体と、前記吸込口に臨ませて前記吸込具本体内に収納される回転ブラシとを備え、前記吸込具本体の前壁を弾性体で形成し、前記回転ブラシを、掃除時にのみ吸引力により倒れ込む前記弾性体に当接させて振動させる位置に配置すると共に、前記吸込具本体底部の前部両側に起毛布を設けたことを特徴とするものである。
【００１０】
また、下面に吸込具を有する吸込具本体と、前記吸込口に臨ませて前記吸込具本体内に収納される回転ブラシとを備え、前記吸込具本体の前壁を、被掃除面に向かって形成された弾性を有するひれ部を有するバンパーにて形成し、前記回転ブラシを、掃除時にのみ吸引力により倒れ込む前記ひれ部に当接させて振動させる位置に配置すると共に、前記ひれ部の付け根部分を内側より支持する支持部材を形成したことを特徴とするものである。
【００１１】
また、下面に吸込口を有する吸込具本体と、前記吸込口に臨ませて前記吸込具本体内に収納される回転ブラシとを備え、前記吸込具本体の前壁を弾性体で形成し、前記回転ブラシを、掃除時にのみ吸引力により倒れ込む前記弾性体に当接させて振動させる位置に配置すると共に、前記弾性体に、横方向に伸びる薄肉部を設けたことを特徴とするものである。
【００１３】
【発明の実施の形態】
以下、本願発明の実施形態を図面を参照して詳細に説明する。
【００１４】
図１〜図９は、本願発明の一実施形態に係る床用吸込具の構成を示す図であり、本実施形態の吸込具本体１は、上ケース２、下ケース３、これら上下ケース２，３間に周方向に回動自在に支持された回動管４、この回動管４に上下方向に回動自在に支持された接続管５等から構成され、この接続管５が図示しない掃除機本体に連結されたホースや延長管に接続されて使用される。
【００１５】
上記吸込具本体１の下面前側には長手方向に開口する吸込口７が形成され、その上方に回転ブラシ収納室８が形成されている。この回転ブラシ収納室８内には、長短２種のブラシ体（又はブレード）９ａ，９ｂが芯体１０に螺旋状に取り付けられた回転ブラシ１１が前記吸込口７に臨ませた状態で回転可能に収納されている。
【００１６】
また、吸込具本体１の上記回転ブラシ収納室８の後ろ側には、図５，図６に示すように、回転ブラシ１１を回転駆動するためのモータ１２及びその制御部１３等が内蔵されている。回転ブラシ１１は上記モータ１２に伝達ベルト１４を介して連結されて、図１の矢印Ｘで示す反時計廻り方向（床用吸込具の前進方向に対して正回転）に回転駆動されるようになっている。
【００１７】
また、図７に示すように、上記回転ブラシ１１の回転軸両端部１５には、軸受部１６が取り付けられており、両軸受部１６は、下ケース３の両側に形成された装着部１７に装着されるように構成されている。
【００１８】
また、吸込口７の後ろ側底面には、吸込口７の長手方向にわって床磨きブラシ１８が取り付けられており、この床磨きブラシ１８はフローリング床等の磨き効果の他に、吸込口７に後ろ側から空気が多量に吸い込まれて吸引力が低下するのを抑えるシール機能や前進時に吸い込めなかったごみが後ろ側に漏れるのを防ぐ機能等を有する。
【００１９】
そして、本実施形態においては、床用吸込具本来の性能を損なうことなく回転ブラシ１１を可能な限り前方に配置するため、上ケース２と下ケース３から成る本体ケースには従来のような橇形状を有する前壁が設けられてなく、その代わりとなる前壁をバンパー２０で形成している。このバンパー２０は、前面から両側面にわたって取り付けられているが、前面側には被掃除面に向けて垂下された弾性体（軟質塩ビ等）から成るひれ部２１を有している。また、回転ブラシ１１は、その長い方のブラシ体９ａの回転軌跡が前記バンパー２０のひれ部２１に当接する位置に配置されている。これにより、回転ブラシ１１が回転すると、ブラシ体９ａはバンパー２０のひれ部２１に接触して、ひれ部２１を振動させるようになっている。なお、本実施形態では、ひれ部２１をバンパー２０に一体形成したが、弾性体から成る別部品で形成してもよい。
【００２０】
さらに、上記バンパー２０のひれ部２１には、横方向に溝状に伸びる複数の肉盗み部（薄肉部）２２が形成されており、これにより、弾性度を増して振動しやすくなるように構成されている。
【００２１】
また、上記回転ブラシ１１の回転中心より上に位置して、バンパー２０のひれ部２１の付け根部分を内側より支持する支持部材２３が備えられており、回転ブラシ１１の負荷を増大することなく、バンパー２０のひれ部２１が内側へ倒れ込むのを防ぐことができるようになっている。
【００２２】
また、本実施形態の吸込具本体１の底面側には、接続管５の下部側に位置して従来と同様な後車輪２５が備えられているが、吸込具本体１の前部両側には上述した構成によるスペースの関係で前車輪は備えられてなく、その代わりに起毛布２６が取り付けられている。
【００２３】
また、吸込具本体１の上ケース２上面には、回動管４に対応する位置に突出する凸部２７が形成されている。
【００２４】
以上の構成において、壁際を掃除する際には、図１０，図１２に示すように床用吸込具をバンパー２０が壁面に接するように押し付けた時に、壁面と回転ブラシ１１先端との距離（Ａ寸法）及び壁面と回転ブラシ１１の接地点間の距離（Ｂ寸法）が最小となるため、壁際掃除の性能が向上する。
【００２５】
これに対して、従来技術を適用した場合には、図１１に示すように、回転ブラシ１１の前に前壁の橇形状部分３０や前車輪３１を設けているので、Ａ寸法は１０〜１５ｍｍとなり、それより大きなＢ寸法間は回転ブラシ１１のブラシ体（又はブレード）９が被掃除面に当たらないため、絨毯などに絡み付いた糸くず等のごみを吸い込むことができない構造になっていたが、本実施形態ではＡ寸法及びＢ寸法が最小となるため、絨毯に絡み付いた糸くず等のごみを壁際まで掻き出して吸い込むことができる。
【００２６】
さらに、この時、バンパー２０のひれ部２１が回転ブラシ１１の長い方のブラシ体９ａと接触することにより、バンパー２０のひれ部２１が振動して、あたかも回転ブラシのように作用し、絨毯に絡み付いた糸くず等のごみを壁際の隅まで掻き出す特有の効果が得られる。
【００２７】
また、バンパー２０のひれ部２１に当たる回転ブラシ１１のブラシ体９ａが螺旋状を成しているので、バンパー２０のひれ部２１に常時部分的に接触して、ひれ部２１を波状に振動させると共に、回転ブラシ１１に一度に大きな負荷がかからないことにより回転速度の低下を防ぐことができるため、回転ブラシ１１自体の性能を損なうこともなく、バンパー２０のひれ部２１の安定した振動によって絨毯上のごみを隅々まで効率良く掻き出すことができる。
【００２８】
また、バンパー２０のひれ部２１に、横方向に伸びる溝状の肉盗み部２２を形成したことにより、ひれ部２１の振動をより大きくすることができ、ひれ部２１による絨毯上のごみの掻き出し作用が大きくなって、壁際掃除の効率がさらに向上する。
【００２９】
また、回転ブラシ１１の回転中心より上に位置して、バンパー２０のひれ部２１の付け根部分を内側より支持する支持部材２３を備えたことにより、回転ブラシ１１は主に弾性を有するバンパー２０のひれ部２１に当たるため、回転ブラシ１１にかかる負荷が低減する。
【００３０】
さらに、通常の絨毯上を掃除する時には、図１３に示すように、吸引力により絨毯が吸込口７の中に持ち上がり、バンパー２０のひれ部２１の先端が絨毯に接触して、掃除しようと床用吸込具を前に押すと、ひれ部２１が回転ブラシ１１の方に倒れ込もうとするため、回転ブラシ１１の負荷が増大する虞があるが、本実施形態では、上述した支持部材２３でひれ部２１の付け根部分を内側から支持することで、ひれ部２１が付け根部分から内側へ倒れ込むのを規制することができるため、回転ブラシ１１の負荷がさらに低減される。
【００３１】
ところで、上記において、回転ブラシ１１が前進方向に対して逆回転（図１３の時計廻り）であると、内側に倒れ込もうとするバンパー２０のひれ部２１を下から上に掻き上げるように回転することになるので、ひれ部２１と接触するときの抵抗が大きくなり、本実施形態のようなモータ１２によって駆動される回転ブラシ１１，すなわちパワーブラシであっても、抵抗が大きくなることによって電流値が大きくなり、電気代の無駄や回転ブラシ１１のモータ１２の負荷が大きくなって、耐久性や温度上昇などの問題が生じてくる。また、モータを用いないタービンブラシや取り込まれる外気をブレード等で受けて回転する方式の回転ブラシであれば、十分な回転力を得ることができなくなるので、ごみ取り性能が低下する。
【００３２】
これに対して、本実施形態では、床用吸込具の前進方向に対して回転ブラシ１１が図１３の矢印Ｘで示すように正回転するように設定されているので、本実施形態のようなパワーブラシにおいても、バンパー２０のひれ部２１との接触抵抗が小さくなることにより、回転ブラシ１１のモータ１２の電流値を下げることができて電気代の無駄が防げ、また、モータ１２の負荷が軽減することにより、耐久性の低下や、温度上昇を抑えることができる。また、タービンブラシや取り込まれる外気をブレード等で受けて回転する方式の回転ブラシであれば、正回転とすることにより、回転ブラシの回転がスムーズとなり、ごみ取り性能が向上する。
【００３３】
さらに、逆回転であると、ごみを前に飛ばす虞があるが、正回転であればこのような不具合も生じない。
【００３４】
なお、橇形状の前壁を無くした上記のような構成のものにおいて、注意を要するのは、回転ブラシ１１の破損や変形である。すなわち、掃除の途中などで一時的に床用吸込具を裏返しに置いている時に、不注意で踏んでしまった場合、回転ブラシ１１に図１４に示すような力が加わって、破損又は変形してしまうと、使用できなくなってしまうため問題となる。
【００３５】
この対策として、本実施形態では、図１５に示すように、床用吸込具を裏返して置いた時、回転ブラシ１１側が確実に低くなって十分な傾斜ができるように吸込具本体１の上面側に凸部２７を形成し、また回転ブラシ１１のブラシ体９ａが吸込具本体１底面より突出する構成とすることで、足で踏もうとした時、足は先ず突出したブラシ体９ａに当たり、底面の傾斜に沿って前側に滑っていき、回転ブラシ１１が矢印Ｙの方向に回転するため、回転ブラシ１１の芯体１０に直接力が加わらず、破損や変形を防止することができる。
【００３６】
さらに、芯体１０を発泡ＡＢＳ樹脂等の弾性を有し塑性変形し難い材料で形成すると共に、図１５に示したように裏返したときの芯体１０の外周下部とその直下の回転ブラシ収納室８天面間のＣ寸法を、芯体１０の弾性変形量以内に制限することで、破損や変形を確実に防ぐことができる。
【００３７】
なお、上記実施形態では、回転ブラシ１１をその先端部がバンパー２０のひれ部２１に当接するように配置した場合について説明したが、掃除の時のみ、吸引力により内側に倒れ込もうとするひれ部２１に当接する程度に近接させれば、前記実施形態とほぼ同様な作用効果が得られる。
【００３８】
【発明の効果】
以上のように本願発明は、吸込具本体の前壁を弾性体で形成し、回転ブラシを、前記弾性体に当接させて振動させる位置に配置すると共に、前記吸込具本体底部の前部両側に起毛布を設けたので、回転ブラシを従来よりも前に配置することができると共に、前記弾性体をあたかも回転ブラシのように作用させることができるので、絨毯に絡み付いた糸くず等のごみを壁際の隅まで掻き出すことができる。また、前記回転ブラシを前記吸込具本体の前方に配置することにより、スペース的に前車輪の配置が困難であるが、その代わりに起毛布を取り付けることができる。
【００３９】
さらに、吸込具本体の前壁を、被掃除面に向かって形成された弾性を有するひれ部を有するバンパーにて形成し、前記回転ブラシを、前記ひれ部に当接させて振動させる位置に配置すると共に、前記ひれ部の付け根部分を内側より支持する支持部材を形成したので、回転ブラシを従来よりも前に配置することができると共に、前記バンパーをあたかも回転ブラシのように作用させることができるので、絨毯に絡み付いた糸くず等のごみを壁際の隅まで掻き出すことができる。また、前記支持部材でひれ部の付け根部分を内側から支持することで、ひれ部が付け根部分から内側へ倒れ込むのを規制することができ、前記回転ブラシの負荷を低減できる。
【００４０】
また、前記吸込具本体の前壁を弾性体で形成し、前記回転ブラシを、前記弾性体に当接させて振動させる位置に配置すると共に、前記弾性体に、横方向に伸びる薄肉部を設けたので、回転ブラシを従来よりも前に配置することができると共に、前記弾性体をあたかも回転ブラシのように作用させることができるので、絨毯に絡み付いた糸くず等のごみを壁際の隅まで掻き出すことができる。また、薄肉部によって前記弾性体の振動をより大きくすることができる。
【００４１】
また、前記吸込具本体の前壁を弾性体で形成し、前記回転ブラシを、掃除時にのみ吸引力により倒れ込む前記弾性体に当接させて振動させる位置に配置すると共に、前記吸込具本体底部の前部両側に起毛布を設けたので、回転ブラシを従来よりも前に配置することができると共に、前記弾性体をあたかも回転ブラシのように作用させることができるので、絨毯に絡み付いた糸くず等のごみを壁際の隅まで掻き出すことができる。また、前記回転ブラシを前記吸込具本体の前方に配置することにより、スペース的に前車輪の配置が困難であるが、その代わりに起毛布を取り付けることができる。
【００４２】
また、前記吸込具本体の前壁を、被掃除面に向かって形成された弾性を有するひれ部を有するバンパーにて形成し、前記回転ブラシを、掃除時にのみ吸引力により倒れ込む前記ひれ部に当接させて振動させる位置に配置すると共に、前記ひれ部の付け根部分を内側より支持する支持部材を形成したので、回転ブラシを従来よりも前に配置することができると共に、前記バンパーをあたかも回転ブラシのように作用させることができるので、絨毯に絡み付いた糸くず等のごみを壁際の隅まで掻き出すことができる。また、前記支持部材でひれ部の付け根部分を内側から支持することで、ひれ部が付け根部分から内側へ倒れ込むのを規制することができ、前記回転ブラシの負荷を低減できる。
【００４３】
また、前記吸込具本体の前壁を弾性体で形成し、前記回転ブラシを、掃除時にのみ吸引力により倒れ込む前記弾性体に当接させて振動させる位置に配置すると共に、前記弾性体に、横方向に伸びる薄肉部を設けたので、回転ブラシを従来よりも前に配置することができると共に、前記弾性体をあたかも回転ブラシのように作用させることができるので、絨毯に絡み付いた糸くず等のごみを壁際の隅まで掻き出すことができる。また、薄肉部によって前記弾性体の振動をより大きくすることができる。
【図面の簡単な説明】
【図１】本願発明の実施形態に係る床用吸込具の中央縦断面図。
【図２】同じく、斜視図。
【図３】同じく、底面図。
【図４】同じく、上面図
【図５】同じく、上ケースを取り外して見た上面図。
【図６】同じく、上ケースを取り外して回転ブラシが見えるように図示した上面図。
【図７】同じく、正面側から見た縦断面図。
【図８】上記実施形態のバンパー単体の斜視図。
【図９】上記実施形態の回転ブラシ単体の正面図。
【図１０】上記実施形態による床用吸込具を用いた壁際掃除時を示す中央縦断面図。
【図１１】従来技術による床用吸込具を用いた壁際掃除時を示す中央縦断面図。
【図１２】上記図１０の要部拡大断面図。
【図１３】上記実施形態による床用吸込具を用いた通常掃除時を示す中央縦断面図。
【図１４】裏返して置かれた上記実施形態の床用吸込具が踏まれた場合に回転ブラシに加わる力を説明するための図。
【図１５】同じく、裏返して置かれた上記実施形態の床用吸込具を示す中央縦断面図。
【符号の説明】
１  吸込具本体
２  上ケース
３  下ケース
４  回動管
５  接続管
７  吸込口
８  回転ブラシ収納室
９ａ，９ｂ  ブラシ体（又はブレード）
１０  芯体
１１  回転ブラシ
１２  モータ
１３  制御部
１４  伝達ベルト
１８  床磨きブラシ
２０  バンパー
２１  ひれ部
２２  肉盗み部（薄肉部）
２３  支持部材
２５  後車輪
２６  起毛布
２７  凸部
【図１】
0003789782.tif 000002
【図２】
0003789782.tif 000003
【図３】
0003789782.tif 000004
【図４】
0003789782.tif 000005
【図５】
0003789782.tif 000006
【図６】
0003789782.tif 000007
【図７】
0003789782.tif 000008
【図８】
0003789782.tif 000009
【図９】
0003789782.tif 000010
【図１０】
0003789782.tif 000011
【図１１】
0003789782.tif 000012
【図１２】
0003789782.tif 000013
【図１３】
0003789782.tif 000014
【図１４】
0003789782.tif 000015
【図１５】
0003789782.tif 000016